(57)【特許請求の範囲】
【請求項１】
静電塗装機内への搬入および同機内での静電塗装工程ならびに当該工程後の機外にへの搬出に使用するハンガーに対して多数個のワークを縦列で多段まで積み重ねて保持するのに用いるものであって、外周縁の内側に沿うオモテ面に多数個もしくは連続した形のオモテ側突起を設け、同じくウラ面にウラ側突起をこれ等各ウラ側突起がオモテ側突起の間に存する配置もしくは連続した形の配置として設け、また中央にセンター出し用嵌合孔を開設した静電塗装機のワーク積み重ね用スペーサ。
【発明の詳細な説明】
【０００１】
【発明が属する技術分野】
本発明は、ワークの静電塗装機内への搬入から静電塗装中を経て静電塗装終了後の搬出の間に亘って使用するワーク吊下搬送用ハンガーに対して、多数個のワークの端面を突き合わせた状態で縦列に積み重ねて保持するときに用いる静電塗装機のワーク積み重ね用スペーサに関する。
【０００２】
具体的には、静電塗装膜６１の縁６２がワークの端面６３に図１２に示すように大きく廻り込んで同ワークの上下両端面間の長さ寸法を都合の悪い状態に変えてしまうことを防止するのに、つまり静電塗装膜６１の縁６２がワークの端面６３に大きく廻り込んでいない図６に示すような長さ変化のないもしくは顕著に少ない都合の良い静電塗装の状態を確実に且つ容易に実施できるようにすることを可能とする静電塗装機のワーク積み重ね用スペーサに関する。
【０００３】
【従来の技術】
従来、上記長さ変化のない静電塗装品は、例えば、静電塗装膜の縁がワークの端面に大きく廻り込んだ半完成品を得てから当該廻り込み部分を削り落とす等の後加工を施して得る等の方法によっていた。
【０００４】
しかし乍ら、これ等方法による場合には、▲１▼工程数が多い、▲２▼低コスト化に限界がある、▲３▼剥れや発錆を起す原因となりやすい切り口が削り落とし加工によって必然的にできてしまう、等の問題点があった。
【０００５】
【発明が解決しようとする課題】
本発明は、上記諸問題点を解消する新規の静電塗装機のワーク積み重ね用スペーサを提供することを目的とするものである。
【０００６】
【課題を解決するための手段】
上記目的を達成するために本発明に係る静電塗装機のワーク積み重ね用スペーサは、静電塗装機内への搬入および同機内での静電塗装工程ならびに当該工程後の機外にへの搬出に使用するハンガーに対して多数個のワークを縦列で多段まで積み重ねて保持するのに用いるものであって、外周縁の内側に沿うオモテ面に多数個もしくは連続した形のオモテ側突起を設け、同じくウラ面にウラ側突起をこれ等各ウラ側突起がオモテ側突起の間に存する配置もしくは連続した形の配置として設け、また中央にセンター出し用嵌合孔を開設して成るものである。
【０００７】
【実施例】
本発明の実施例を図面に依拠して説明する。
先ず、上端に吊下げフック１をもつハンガー支柱２を構成し、このハンガー支柱２の上端寄り個所に横向きの左右上側アーム３，４を同じく下端に横向きの左右下側アーム５，６をそれぞれ設けると共に左右上側アーム３，４の先端部に短い左右の非伸縮型下向き軸７，８を設け、これ等各非伸縮型各下向き軸７，８の下端にワーク９もしくはダミー１０の上端面が圧接する左右のセンターダボ１１付き上側センター板１２，１３を固定し、また左右下側アーム５，６の先端部に短い左右の伸縮型上向き軸１４，１５を設け、これ等各伸縮型上向き軸１４，１５の上端にワーク９もしくはダミー１０の下端面が圧接する左右のセンターダボ１６付き下側センター板１７，１８を設けることによって、多数個のワーク９もしくはダミー１０を縦列で多段まで積み重ねた状態として２列まで保持する２列ハンガー１９を構成する。
【０００８】
上記センターダボ１１付き上側センター板１２，１３は、図７に示すように、非伸縮型各下向き軸７，８の下端に後述するスペーサ２６を当該スペーサ２６がセンターダボ１１を中心として僅かに揺動可能な状態でゴム輪２５により止着することによって構成であり、ワークの端面の傾きや凸凹、微妙な狂い等による不都合を吸収するようにしてある。
【０００９】
また、センターダボ１６付き下側センター板１７，１８は、図８に示すように、伸縮型各下向き軸１４，１５の円錐形のダボ１６に後述するスペーサ２６を当該スペーサ２６がセンターダボ１１を中心として僅かに揺動可能な状態で載せ置くことによって構成してあり、ワークの端面の傾きや凸凹、微妙な狂い等による不都合を吸収するようにしてある。
【００１０】
尚、上側センター板１２，１３および下側センター板１７，１８は、揺動しない固定型とすることができる。
【００１１】
上記の各伸縮型上向き軸１４，１５は、その下端に逆さ向きＴの字の引掛り部２１，２２をもち、コイルバネ２３の作用力によって上方への戻し力を常に受け、外力から解放された状態のときには上側センター板１２，１３と下側センター板１７，１８との距離が一定に保たれる状態としてある。
【００１２】
上記のワーク９もしくはダミー１０は、全体としては短い丸棒状を呈しているものであって、その正面の中央部には比較的複雑な形の凹所２４をもっている外形のものである。
【００１３】
そして、斯かるワーク９もしくはダミー１０の多数個を上記したように縦列で多段まで積み重ねた状態とするときには、次のようなスペーサ２６を各々の間に挟入して使用する。
【００１４】
上記のスペーサ２６は、その外周縁の内側に沿うオモテ面に多数個の低いオモテ側突起２７を一定の間隔配置で設け、同じくウラ面に多数個の低いウラ側突起２８をこれ等各ウラ側突起２８がオモテ側突起２７の間に存する配置として設け、また中央に上記上側センター板１２，１３および下側センター板１７，１８のセンターダボ１１，１６の嵌合孔２９を開設してある。
【００１５】
このスペーサ２６は、図３（ａ）〜（ｅ）に示す構成等とすることもできる。
すなわち、
図３（ａ）は、嵌合孔２９を中心とする個所を水紋（波）状に凹凸させてオモテ側突起２７およびウラ側突起２８を設けたものである。
図３（ｂ）は、径の小さいリング状の板をオモテ面およびウラ面に嵌合孔２９を中心として重ね止めたものである。
図３（ｃ）は、扁平なそろばん玉の形としたものである。
図３（ｄ）は、オモテ側突起２７およびウラ側突起２８を海鼠形とし、円線上に配置したものである。
図３（ｅ）は、オモテ側突起２７およびウラ側突起２８を海鼠形とし、放射線上に配置したものである。
また、嵌合孔２９は四角、六角等異形の孔とする。
【００１６】
そして、上記の２列ハンガー１９は、これに次に説明する整列装填装置を利用することによりワーク９等を装填してから静電塗装機（図示せず）内に搬入したり、同静電塗装機による静電塗装終了後に搬出したりする等の用法に供するものである。
【００１７】
ここで、整列装填装置を図面に依拠して説明する。
先ず、前側脚３２と後ろ側脚３３により後方に僅かに倒れた状態に支持した傾斜壁面３４をもつ架台３５を構成し、この架台３５の傾斜壁面３４の左右一対の縦線上個所に同線に沿って長いＶ溝付きブロック３６，３７を配してこれ等を多数個の支え脚３８，３９を用いて傾斜壁面３４に固定すると共に傾斜壁面３４の上部および下方寄り部に横向き張り出した上側アーム３，４の載架上側板４０および下側アーム５，６の載架下側板４１を対設する。
【００１８】
また、載架上側板４０において左右のＶ溝付きブロック３６，３７の上端開放口４２と対応する左右個所およびこれ等左右個所の中間個所に上記下向き軸７，８およびハンガー支柱２の通し用上側切欠４４，４５、４６を切設し、また載架下側板４１において左右のＶ溝付きブロック３６，３７の下端開放口４３と対応する左右個所およびこれ等左右個所の中間個所に上記上向き軸１４，１５およびハンガー支柱２の通し用下側切欠４７，４８、４９を切設する。
【００１９】
更に、傾斜壁面３４の下部において左右のＶ溝付きブロック３６，３７の下端開放口４３の延長線上個所に左右のエアシリンダ５１，５２をその伸縮軸５３，５４が上向きに可動する状態として配装すると共に伸縮軸５３，５４の先端に先端が二股になっている上記Ｔの字引掛り部２１，２２の引っ掛け部材５５，５６を取付け、よって得たものである。
【００２０】
次に、上記の整列装填装置を利用して２列ハンガー１９にワーク９もしくはダミー１０を装填するには、先ず、２列ハンガー１９の下向き軸７，８およびハンガー支柱２の上部を通し用上側切欠４４，４５、４６に嵌入した状態で上側アーム３，４を載架上側板４０の上に配し且つ同２列ハンガー１９の上向き軸１４，１５およびハンガー支柱２の下部を通し用下側切欠４７，４８、４９に嵌入した状態で下側アーム５，６を載架下側板４１の上に配すると共に上向き軸１４，１５の下端に設けたＴの字引掛り部２１，２２を引っ掛け部材５５，５６の二股に掛け止め、然るのち左右のエアシリンダ５１，５２の伸縮軸５３，５４を縮短状態として上側センター板１２，１３と下側センター板１７，１８との間を広くした状態とする。この時、上側センター板１２，１３は左右のＶ溝付きブロック３６，３７の上端開放口４２と対応した位置関係となり、下側センター板１７，１８は、下端開放口４３と対応した位置関係となる。
【００２１】
このような位置関係になった下側センター板１７，１８の上にダミー１０を載せ立ててその上半分をＶ溝付きブロック３６，３７の溝の下端部に嵌入させてから、当該ダミー１０の上端面上にスペーサ２６を載置し、この載置したスペーサ２６の上に次のワーク９を載せ立ててその全体をＶ溝付きブロック３６，３７の溝に嵌入させ、このようにしてスペーサ２６とワーク９を交互に所定の段数まで積み重ね、最後にダミー１０を積み重ねる。
【００２２】
この積み重ねが終ったところで左右のエアシリンダ５１，５２の伸縮軸５３，５４を伸長状態とし、するとこれに伴い上向き軸１４，１５が内蔵のコイルバネ２３の反撥力により伸びて上側センター板１２，１３と下側センター板１７，１８との間の距離を狭くし、よって上記積み重ねのワーク９およびスペーサ２６を上昇させて最上位のダミー１０の上端面を上側センター板１２，１３の下面に圧接させる。
【００２３】
この圧接が完了すると上記の積み重ねのワーク９およびスペーサ２６ならびにダミー１０は、Ｖ溝付きブロック３６，３７の溝の案内により縦列の多段まで積み重ねた整列状態を確保したままで、コイルバネ２３の力によって上側センター板１２，１３と下側センター板１７，１８の間に強く挟着されて上記整列状態を保持する。
【００２４】
そして、この整列状態保持後には、通し用下側切欠４７，４８、４９から２列ハンガー１９の上向き軸１４，１５およびハンガー支柱２の下部を抜去し且つ通し用上側切欠４４，４５、４６から２列ハンガー１９の下向き軸７，８およびハンガー支柱２の上部を抜去し、よってワーク９を２列に整列した状態に装填した２列ハンガー１９を得る。これを静電塗装機（図示せず）内に搬入し、同機内で公転および自転させる等して静電塗装工程を行い、終了後に機外に搬出する等の用法に供する。
【００２５】
因みに、縁６２がワークの端面６３に大きく廻り込んでいない都合の良い静電塗装膜６１を得るには、スペーサのオモテ側突起２７およびウラ側突起２８の高さが重要である。すなわち、
高い場合には、図１３に示すように、ワークの端面６３とスペーサ２６との間が広くなって塗料粒子６４が当該間に入り込みやすく、縁６２がワークの端面に大きく廻り込んでオモテ側突起２７およびウラ側突起２８に達した都合の悪い状態となり、次回の使用のときにはオモテ側突起２７およびウラ側突起２８までも洗浄しなければならない煩わしさがある。
また、低い場合には、図１４に示すように、ワークの端面６３とスペーサ２６との間が狭くなって塗料粒子６４が当該間に入り込みにくくなり且つスペーサ２６の周縁部が架脚の役目を果すことになって静電塗装膜は隣りのワークとの間で所謂ブリッジ６５を形成した都合の悪い状態となる。
そこで、本発明者はスペーサのオモテ側突起２７およびウラ側突起２８の高さをテストの繰返しにより経験的に設定した。
【００２６】
【発明の効果】
本発明に係る静電塗装機のワーク積み重ね用スペーサは、上記のように、静電塗装機内への搬入および同機内での静電塗装工程ならびに当該工程後の機外にへの搬出に使用するハンガーに対して多数個のワークを縦列で多段まで積み重ねて保持するのに用いるものであって、外周縁の内側に沿うオモテ面に多数個もしくは連続した形のオモテ側突起を設け、同じくウラ面にウラ側突起をこれ等各ウラ側突起がオモテ側突起の間に存する配置もしくは連続した形の配置として設け、また中央にセンター出し用嵌合孔を開設した構成としたので、これを上記のように用いることによって図６においてハッチングを施して示すような静電塗装膜６１すなわち、縁６２がワークの端面に大きく廻り込んでいない同図に示すような長さ変化のないもしくは顕著に少ない都合の良い静電塗装膜６１を後加工無しで確実に且つ容易に得ることができるものであって、上記問題点を解消するという所期の目的を完全に達成する著効を奏するものである。
【図面の簡単な説明】
【図１】スペーサを示す平面図である。
【図２】図１ＡーＡ線に沿う断面図である。
【図３】他の数種類のスペーサ（ａ）〜（ｅ）を示す平面図および正面図である。
【図４】ワーク吊下搬送用２列ハンガーを示す正面図である。
【図５】同２列ハンガーの使用の状態を示す正面図である。
【図６】図５ＢーＢ線に沿う拡大断面図である。
【図７】上側センター板部分の拡大断面図である。
【図８】下側センター板部分の拡大断面図である。
【図９】ワーク整列装填装置を示す正面図である。
【図１０】同ワーク整列装填装置の使用の状態を示す正面図である。
【図１１】図１０ＣーＣ線に沿う断面図である。
【図１２】塗膜の縁がワークの端面に大きく廻り込んだ都合の悪い例を示す拡大断面図である。
【図１３】塗膜の縁がオモテ側突起、ウラ側突起に達した都合の悪い例を示す拡大断面図である。
【図１４】塗膜の縁がブリッジを形成した悪い例を示す拡大断面図である。
【符号の説明】
１  吊下げフック
２  ハンガー支柱
３  上側アーム
４  上側アーム
５  下側アーム
６  下側アーム
７  下向き軸
８  下向き軸
９  ワーク
１０  ダミー
１１  センターダボ
１２  上側センター板
１３  上側センター板
１４  上向き軸１５  上向き軸
１６  センターダボ
１７  下側センター板
１８  下側センター板
１９  ２列ハンガー
２１  引掛り部
２２  引掛り部
２３  コイルバネ
２４  凹所
２６  スペーサ
２７  オモテ側突起
２８  ウラ側突起
２９  嵌合孔
３２  前側脚
３３  後ろ側脚
３４  傾斜壁面
３５  架台
３６  Ｖ溝付きブロック
３７  Ｖ溝付きブロック
３８  支え脚
３９  支え脚
４０  載架上側板
４１  載架下側板
４２  上端開放
４３  下端開放口
４４  上側切欠
４５  上側切欠
４６  上側切欠
４７  下側切欠
４８  下側切欠
４９  下側切欠
５１  エアシリンダ
５２  エアシリンダ
５３  伸縮軸
５４  伸縮軸
５５  引っ掛け部材
５６  引っ掛け部材
６１  静電塗装膜
６２  縁
６３  端面
６４  塗料粒子
６５  ブリッジ
【図１】
0003665557.tif 000002
【図２】
0003665557.tif 000003
【図３】
0003665557.tif 000004
【図４】
0003665557.tif 000005
【図５】
0003665557.tif 000006
【図６】
0003665557.tif 000007
【図７】
0003665557.tif 000008
【図８】
0003665557.tif 000009
【図９】
0003665557.tif 000010
【図１０】
0003665557.tif 000011
【図１１】
0003665557.tif 000012
【図１２】
0003665557.tif 000013
【図１３】
0003665557.tif 000014
【図１４】
0003665557.tif 000015